【事件の表示】
　平成５年特許願第５０９５８７号「トコトリエノールおよびトコトリエノール様化合物ならびにこれらを使用する方法」拒絶査定不服審判事件〔平成５年５月２７日国際公開、ＷＯ９３／０９７７７、平成７年６月１日国内公表、特表平７−５０４８８７〕について、次のとおり審決する。
【結　論】
　本件審判の請求は、成り立たない。
【理　由】
　１．手続の経緯・本願発明
　本願は、１９９２年１１月２０日（パリ条約による優先権主張外国庁受理１９９１年１１月２２日、米国）を国際出願日とする出願であって、その請求項１ないし５１に係る発明は、平成１１年１１月２２日付け、及び平成１４年４月１７日付け手続補正書により補正された明細書及び図面の記載からみて、特許請求の範囲の請求項１ないし５１に記載された次のとおりのものと認められる（以下、「本願発明１〜５１」という。）。
「【請求項１】　以下の構造式Ｉに従うトコトリエノールまたはトコトリエノール様化合物ならびにその塩、その酸化生成物、およびその加水分解生成物：
【化１】
　
　ここで、Ｒ1およびＲ3は、それぞれ独立してＨ、ハロゲン、OH、OCH3、およびＣ1−Ｃ6の分岐したまたは分岐していないアルキルからなる群から選択され；
　Ｒ2は、OH、NHR8、CO2Y、C(R8)2CO2H、および、OH、NHR8、CO2H、またはC(R8)2CO2Hで置換されたＣ1−Ｃ6の分岐したまたは分岐していないアルキルからなる群から選択され；
　Ｒ4は、Ｏ、NH、CH-R9、C=OおよびCH-OHからなる群から選択され；
　Ｒ5は、CH2、CHOH、Ｏ、ＳおよびNHからなる群から選択され；
　Ｒ6は、ＨおよびＣ1−Ｃ6の分岐したまたは分岐していないアルキルからなる群から選択され；
　各Ｒ7は、独立して、以下の構造式で示され；
【化２】
　
　ここでＲ10は、Ｈ、NH2およびＣ1−Ｃ6の分岐したまたは分岐していないアルキルからなる群から選択され；
　各Ｒ8およびＲ9は、独立して、ＨおよびＣ1−Ｃ6の分岐したまたは分岐していないアルキルからなる群から選択され；
　Ｒ11は、それぞれ独立して、Ｈ、Ｃ1−Ｃ6の分岐したまたは分岐していないアルキル、CH2OH、CO2HまたはOHからなる群から選択され；
　Ｙは、ＨまたはＣ1−Ｃ18の分岐したまたは分岐していないアルキルであり；
　Ｚは、Ｈ、ハロゲン、OH、CH2OH、CH3、OCH3またはCOCH3であり；
　ｎは、０〜４の整数であり；そして
　ｍは、１〜３０の整数である。
　　【請求項２】　構造式3,4-ジヒドロ-2-(4,8,12-トリメチルトリデカ-3'(E),7'(E),11'(E)-トリエニル-2H-1-ベンゾピラン-6-オールを有するトコトリエノー
ルおよびその誘導体。
　　【請求項３】　以下の構造式：
【化３】
　
に従うトコトリエノールであって、
　ここで、Ｒ1およびＲ3は、それぞれ独立してＨ、ハロゲン、OH、OCH3、およびＣ1-Ｃ6の分岐したまたは分岐していないアルキルからなる群より選択され；
　Ｒ2は、OH、NHR5、CO2Y、C(R5)2CO2Y、および、OH、NHR5、CO2Y、またはC(R5)2CO2Yからなる群より選択される基で置換されたC1-C6の分岐したまたは分岐していないアルキル、からなる群より選択され；
　Ｒ4は、Ｈ、ハロゲン、OH、CH2OH、CH3、OCH3、またはCOCH3であり；
　Ｒ5は、ＨおよびＣ1−Ｃ6の分岐したまたは分岐していないアルキルからなる群から選択され；そして
　Ｙは、Ｈ、Ｃ1-Ｃ18の分岐したまたは分岐していないアルキル、または酸の塩である、トコトリエノール。
　　【請求項４】　以下の構造式：
【化４】
　
に従うトコトリエノールであって、
　ここで、Ｒ1およびＲ3は、それぞれ独立してＨ、ハロゲン、OH、OCH3、およびＣ1-Ｃ6の分岐したまたは分岐していないアルキルからなる群より選択され；
　Ｒ2は、OH、NHR5、CO2Y、C(R5)2CO2Y、および、OH、NHR5、CO2Y、またはC(R5)2CO2Yからなる群より選択される基で置換されたC1-C6の分岐したまたは分岐していないアルキル、からなる群より選択され；
　Ｒ4は、Ｈ、ハロゲン、OH、CH2OH、CH3、OCH3、またはCOCH3であり；
　Ｒ5は、 ＨおよびＣ1−Ｃ6の分岐したまたは分岐していないアルキルからなる群から選択され；そして
　Ｙは、Ｈ、Ｃ1-Ｃ18の分岐したまたは分岐していないアルキル、または酸の塩である、
トコトリエノール。
　　【請求項５】　以下の構造式を有するトコトリエノールおよびその誘導体：
【化５】
　
　　【請求項６】　以下の構造式：
【化６】
　
を有するトコトリエノールであって、
　ここで、Ｒ1およびＲ3は、それぞれ独立してＨ、ハロゲン、OH、OCH3、およびＣ1-Ｃ6の分岐したまたは分岐していないアルキルからなる群より選択され；
　Ｒ2は、OH、NHR5、CO2Y、C(R5)2CO2Y、および、OH、NHR5、CO2Y、またはC(R5)2CO2Yからなる群より選択される基で置換されたC1-C6の分岐したまたは分岐していないアルキル、からなる群より選択され；
　Ｒ4は、Ｈ、ハロゲン、OH、CH2OH、CH3、OCH3、またはCOCH3であり；
　Ｒ5は、 ＨおよびＣ1−Ｃ6の分岐したまたは分岐していないアルキルからなる群から選択され；そして
　Ｙは、Ｈ、Ｃ1-Ｃ18の分岐したまたは分岐していないアルキル、または酸の塩である、
トコトリエノール。
【請求項７】〜【請求項５１】省略」
　
　これに対して、前置審査において、平成１４年７月２２日付けで拒絶理由を通知し、期間を指定して意見書を提出する機会を与えたが、請求人からは何らの応答もない。
　
　２．引用例の記載
　前置審査の拒絶理由において引用された、本願の出願前に頒布されたことの明らかな刊行物１、２、５、６、７、９、及び１０には、それぞれ次の事項が記載されている。
　(１)刊行物１（特開昭５２−１９６７０号公報）
　刊行物１には「クマロン−４−オン類及びその製造方法」（発明の名称）に関する発明が記載されており、特許請求の範囲第１０項には「２，５，７，８−テトラメチル−６−ヒドロキシ−２−（４’，８’，１２’−トリメチル−トリデカ−３’，７’，１１’−トリエニル）クロマン−４−オン」が記載されている。
　また、第１２頁右上欄第４〜６行には「本発明によるクマロン−４−オンは医薬的、除草剤的および抗酸化剤的な作用を有する。それらは物質保護の目的に有利に使用することができる。」と記載され、また、第１４頁右上欄第３行〜同左下欄第１行の実施例３４には２，５，７，８−テトラメチル−６−ヒドロキシ−２−（４’，８’，１２’−トリメチルトリデカ−３’，７’，１１’−トリエニル）クロマン−４−オン〔４−ケト−α−トコトリエノール〕及びその製造方法が記載されている。
　
　(２)刊行物２（英国特許出願公開第１０１１３１９号明細書）
　刊行物２には「クマロン誘導体の製造方法」（発明の名称）に関する発明が記載されており、第２頁左欄第４７〜５１行には「この発明の製造方法により得られるクロマン誘導体は高いビタミン−Ｅ活性をもち、食品、飼料及びビタミン製造のための抗酸化剤として有用である。」と記載されている。
　そして、第２頁左欄第６１行〜右欄第９７行のEXAMPLE １には２，５，７，８−テトラメチル−２−［４，８，１２−トリメチル−トリデカトリエン−（３，７，１１）−イル−（１）］−６−ヒドロキシ−クロマン及びその製造方法が記載されており、また、第２頁右欄第９８〜１２４行のEXAMPLE ２には２，５，８−トリメチル−２−［４，８，１２−トリメチル−トリデカトリエン−（３，７，１１）−イル−（１）］−６−ヒドロキシ−クロマン及びその製造方法が記載されている。
　
　(３)刊行物５（米国特許第３０２６３３０号明細書）
　刊行物５には「抗酸化活性を有するクマロン化合物」（発明の名称）に関する発明が記載されており、第３欄第１８〜２０行には「この発明の新規クロマンは抗酸化剤として有用で、種々の動植物の脂肪や油の酸化を抑制するために使用することができる。」と記載されている。
　そして、第４欄第７１行〜第５欄第３５行のEXAMPLE VIには２，５−ジメチル−２−（４’−メチル−３’−ペンテニル）−６−ヒドロキシ−７，８−ジメトキシ　クロマン及びその製造方法が記載されている。
　
　(４)刊行物６（特開昭５９−２２２４１４号公報）
　刊行物６には「クロマン化合物を有効成分とする免疫調節剤」（発明の名称）に関する発明が記載されており、第１頁左下欄第１２行〜右下欄第１行には「本発明は一般式・・・で示されるクロマン化合物又はそのエステルを有効成分とする免疫調節剤に関する。」と記載されている。
　そして、第５頁右上欄第１５行〜第６頁右上欄第３行の合成例２には２，５，７，８−テトラメチル−２−（４，８，１２，１６，２０−ペンタメチルヘンエイコサ−３，７，１１，１５，１９−ペンタエン−１−イル）−６−クロマノール〔化合物(２)〕）及びその製造方法が、第６頁右下欄第１〜２０行の合成例５には２，５，７，８−テトラメチル−２−（４，８，１２，１６，２０，２４−ヘキサメチルペンタコサ−３，７，１１，１５，１９，２３−ヘキサエン−１−イル）−６−クロマノール〔化合物(５)〕）及びその製造方法が、第７頁左上欄第１行〜右上欄第１行の合成例６には２，５，７，８−テトラメチル−２−（４，８，１２，１６，２０，２４，２８，３２−オクタメチルトリトリアコンタ−３，７，１１，１５，１９，２３、２７，３１−オクタエン−１−イル）−６−クロマノール〔化合物(６)〕）及びその製造方法が、第７頁左下欄第１行〜右下欄第１行の合成例８には２，５，７，８−テトラメチル−２−（４，８，１２，１６，２０，２４，２８，３２，３６−ノナメチルヘプタトリアコンタ−３，７，１１，１５，１９，２３，２７，３１，３５−ノナエン−１−イル）−６−クロマノール〔化合物(８)〕）及びその製造方法が、それぞれ記載されている。
　
　(５)刊行物７（特開平３−２４６２２２号公報）
　刊行物７には「コレステロール血症、脂血症及び血栓症の処置におけるトコトリエノール」（発明の名称）に関する発明が記載されており、特許請求の範囲の請求項１には「１．実質的に純粋なγ−トコトリエノール、実質的に純粋なδ−トコトリエノール、実質的に純粋なトコトリエノール、又はそれらの混合物を有効成分とすることを特徴とする鳥又は哺乳類血清コレステロールレベル低下用医薬組成物」が記載されている。
　そして、第２頁左下欄第５〜８行には「本発明はコレステロール血症、脂血症及び血栓塞栓症の処置のため精製されたトコトリエノール、γ−トコトリエノールおよびδ−トコトリエノールを含有する組成物及びその使用方法に関する。」と記載され、また、第３頁右下欄下から第２行〜第４頁左下欄第５行には「本発明において好ましいトコトリエノールはトコトリエノール、γ−トコトリエノールおよびδ−トコトリエノールであり、これらトコトリエノールは次の構造を有する。・・・トコトリエノールの最も豊富な資源は穀物（例えば大麦、はだかむぎ、米、小麦及びライ麦）並びに植物油、例えば椰子油及び米糠油であり、それぞれγ−トコトリエノールおよびδ−トコトリエノール５４０ppm及び５７０ppmを含有する。・・・本発明のトコトリエノールは、高コレステロール血症、高脂血症及び血栓塞栓症を処置するため、経口投与形態で消化管を経てか又は無菌非経口製剤として注射によつて容易に投与することができる。」と記載されている。
　
　(６)刊行物９（特開昭６１−２１００３０号公報）
　刊行物９には「抗腫瘍剤」（発明の名称）に関する発明が記載されており、第１頁左下欄下から第１行〜右下欄第５行には「本発明は一般式・・・で表されるトコトリエノール類を有効成分とすることを特徴とする抗腫瘍剤に関するものである。」と記載され、また、第２頁左上欄第１６行〜左下欄下から第７行にはα−トコトリエノール及びそれを用いた抗腫瘍活性試験が記載されている。
　
　(７)刊行物１０（米国特許第４６０３１４２号明細書）
　刊行物１０には「コレステロール低下方法の使用」（発明の名称）に関する発明が記載されており、第１欄第５〜７行には「この発明は血液コレステロールを低下させることに使用可能な新規な製薬組成物に関する。」と記載され、また、第２欄第４〜１５行には「この発明による好ましい組成はｄ−α−トコトリエノールを活性成分として含有する。ｄ−α−トコトリエノールは以下の式で表されるだろう。（化学構造式省略）」と記載されている。
　
　３．対比
　(１)本願発明１について
　(ア)刊行物１に記載された発明との対比
　刊行物１に記載されている「２，５，７，８−テトラメチル−６−ヒドロキシ−２−（４’，８’，１２’−トリメチルトリデカ−３’，７’，１１’−トリエニル）クロマン−４−オン〔４−ケト−α−トコトリエノール〕」と本願請求項１に記載された「以下の構造式Ｉに従うトコトリエノール」（以下、本願化合物１という。）とを対比すると、本願化合物１において、Ｒ1、Ｒ3、Ｒ6、Ｒ10、Ｒ11がいずれも「Ｃ1の分岐していないアルキル」（注．メチル）、Ｒ2が「ＯＨ」、Ｒ4が「Ｃ＝Ｏ」、Ｒ5が「Ｏ」、Ｒ7が
　
、Ｚが「ＣＨ3」、ｎが「１」、ｍが「３」である場合、刊行物１に記載されている「２，５，７，８−テトラメチル−６−ヒドロキシ−２−（４’，８’，１２’−トリメチルトリデカ−３’，７’，１１’−トリエニル）クロマン−４−オン〔４−ケト−α−トコトリエノール〕」と本願化合物１とはその構造が一致する。
　
　(イ)刊行物２に記載された発明との対比
　刊行物２のEXAMPLE １に記載されている「２，５，７，８−テトラメチル−２−［４，８，１２−トリメチル−トリデカトリエン−（３，７，１１）−イル−（１）］−６−ヒドロキシ−クロマン」と本願化合物１とを対比すると、本願化合物１において、Ｒ1、Ｒ3、Ｒ6、Ｒ10、Ｒ11がいずれも「Ｃ1の分岐していないアルキル」（注．メチル）、Ｒ2が「ＯＨ」、Ｒ4が「ＣＨ−Ｒ9」、Ｒ5が「Ｏ」、Ｒ7が
　
、Ｒ9が「Ｈ」、Ｚが「ＣＨ3」、ｎが「１」、ｍが「３」である場合、刊行物２のEXAMPLE １に記載されている「２，５，７，８−テトラメチル−２−［４，８，１２−トリメチル−トリデカトリエン−（３，７，１１）−イル−（１）］−６−ヒドロキシ−クロマン」と本願化合物１とはその構造が一致する。
　また、刊行物２のEXAMPLE ２に記載されている「２，５，８−トリメチル−２−［４，８，１２−トリメチル−トリデカトリエン−（３，７，１１）−イル−（１）］−６−ヒドロキシ−クロマン」と本願化合物１とを対比すると、本願化合物１において、Ｒ1、Ｒ6、Ｒ10、Ｒ11がいずれも「Ｃ1の分岐していないアルキル」（注．メチル）、Ｒ3が「Ｈ」、Ｒ2が「ＯＨ」、Ｒ4が「ＣＨ−Ｒ9」、Ｒ5が「Ｏ」、Ｒ7が
　
、Ｒ9が「Ｈ」、Ｚが「ＣＨ3」、ｎが「１」、ｍが「３」である場合、刊行物２のEXAMPLE ２に記載されている「２，５，８−トリメチル−２−［４，８，１２−トリメチル−トリデカトリエン−（３，７，１１）−イル−（１）］−６−ヒドロキシ−クロマン」と本願化合物１とはその構造が一致する。
　
　(ウ)刊行物５に記載された発明との対比
　刊行物５のEXAMPLE VIに記載されている「２，５−ジメチル−２−（４’−メチル−３’−ペンテニル）−６−ヒドロキシ−７，８−ジメトキシ　クロマン」と本願化合物１とを対比すると、本願化合物１において、Ｒ1、Ｒ6、Ｒ10、Ｒ11がいずれも「Ｃ1の分岐していないアルキル」（注．メチル）、Ｒ3が「ＯＣＨ3」、Ｒ2が「ＯＨ」、Ｒ4が「ＣＨ−Ｒ9」、Ｒ5が「Ｏ」、Ｒ7が
　
、Ｒ9が「Ｈ」、Ｚが「ＯＣＨ3」、ｎが「１」、ｍが「１」である場合、刊行物５のEXAMPLE VIに記載されている「２，５−ジメチル−２−（４’−メチル−３’−ペンテニル）−６−ヒドロキシ−７，８−ジメトキシ　クロマン」と本願化合物１とはその構造が一致する。
　
　(エ)刊行物６に記載された発明との対比
　刊行物６の合成例２に記載されている「２，５，７，８−テトラメチル−２−（４，８，１２，１６，２０−ペンタメチルヘンエイコサ−３，７，１１，１５，１９−ペンタエン−１−イル）−６−クロマノール〔化合物(２)〕）」と本願化合物１とを対比すると、本願化合物１において、Ｒ1、Ｒ3、Ｒ6、Ｒ10、Ｒ11がいずれも「Ｃ1の分岐していないアルキル」（注．メチル）、Ｒ2が「ＯＨ」、Ｒ4が「ＣＨ−Ｒ9」、Ｒ5が「Ｏ」、Ｒ7が
　
、Ｒ9が「Ｈ」、Ｚが「ＣＨ3」、ｎが「１」、ｍが「５」である場合、刊行物６の合成例２に記載されている「２，５，７，８−テトラメチル−２−（４，８，１２，１６，２０−ペンタメチルヘンエイコサ−３，７，１１，１５，１９−ペンタエン−１−イル）−６−クロマノール〔化合物(２)〕）」と本願化合物１とはその構造が一致する。
　また、刊行物６の合成例５に記載されている「２，５，７，８−テトラメチル−２−（４，８，１２，１６，２０，２４−ヘキサメチルペンタコサ−３，７，１１，１５，１９，２３−ヘキサエン−１−イル）−６−クロマノール〔化合物(５)〕）」と本願化合物１とを対比すると、本願化合物１において、Ｒ1、Ｒ3、Ｒ6、Ｒ10、Ｒ11がいずれも「Ｃ1の分岐していないアルキル」（注．メチル）、Ｒ2が「ＯＨ」、Ｒ4が「ＣＨ−Ｒ9」、Ｒ5が「Ｏ」、Ｒ7が
　
、Ｒ9が「Ｈ」、Ｚが「ＣＨ3」、ｎが「１」、ｍが「６」である場合、刊行物６の合成例５に記載されている「２，５，７，８−テトラメチル−２−（４，８，１２，１６，２０，２４−ヘキサメチルペンタコサ−３，７，１１，１５，１９，２３−ヘキサエン−１−イル）−６−クロマノール〔化合物(５)〕）」と本願化合物１とはその構造が一致する。
　また、刊行物６の合成例６に記載されている「２，５，７，８−テトラメチル−２−（４，８，１２，１６，２０，２４，２８，３２−オクタメチルトリトリアコンタ−３，７，１１，１５，１９，２３、２７，３１−オクタエン−１−イル）−６−クロマノール〔化合物(６)〕）」と本願化合物１とを対比すると、本願化合物１において、Ｒ1、Ｒ3、Ｒ6、Ｒ10、Ｒ11がいずれも「Ｃ1の分岐していないアルキル」（注．メチル）、Ｒ2が「ＯＨ」、Ｒ4が「ＣＨ−Ｒ9」、Ｒ5が「Ｏ」、Ｒ7が
　
、Ｒ9が「Ｈ」、Ｚが「ＣＨ3」、ｎが「１」、ｍが「８」である場合、刊行物６の合成例６に記載されている「２，５，７，８−テトラメチル−２−（４，８，１２，１６，２０，２４，２８，３２−オクタメチルトリトリアコンタ−３，７，１１，１５，１９，２３、２７，３１−オクタエン−１−イル）−６−クロマノール〔化合物(６)〕）」と本願化合物１とはその構造が一致する。
　また、刊行物６の合成例８に記載されている「２，５，７，８−テトラメチル−２−（４，８，１２，１６，２０，２４，２８，３２，３６−ノナメチルヘプタトリアコンタ−３，７，１１，１５，１９，２３、２７，３１，３５−ノナエン−１−イル）−６−クロマノール〔化合物(８)〕）」と本願化合物１とを対比すると、本願化合物１において、Ｒ1、Ｒ3、Ｒ6、Ｒ10、Ｒ11がいずれも「Ｃ1の分岐していないアルキル」（注．メチル）、Ｒ2が「ＯＨ」、Ｒ4が「ＣＨ−Ｒ9」、Ｒ5が「Ｏ」、Ｒ7が
　
、Ｒ9が「Ｈ」、Ｚが「ＣＨ3」、ｎが「１」、ｍが「９」である場合、刊行物６の合成例８に記載されている「２，５，７，８−テトラメチル−２−（４，８，１２，１６，２０，２４，２８，３２，３６−ノナメチルヘプタトリアコンタ−３，７，１１，１５，１９，２３，２７，３１，３５−ノナエン−１−イル）−６−クロマノール〔化合物(８)〕）」と本願化合物１とはその構造が一致する。
　
　(オ)刊行物７に記載された発明との対比
　刊行物７に記載されている「γ−トコトリエノール」と本願化合物１とを対比すると、本願化合物１において、Ｒ1が「Ｈ」、Ｒ3、Ｒ6、Ｒ10、Ｒ11がいずれも「Ｃ1の分岐していないアルキル」（注．メチル）、Ｒ2が「ＯＨ」、Ｒ4が「ＣＨ−Ｒ9」、Ｒ5が「Ｏ」、Ｒ7が
　
、Ｒ9が「Ｈ」、Ｚが「ＣＨ3」、ｎが「１」、ｍが「３」である場合、刊行物７に記載されている「γ−トコトリエノール」と本願化合物１とはその構造が一致する。
　また、刊行物７に記載されている「δ−トコトリエノール」と本願化合物１とを対比すると、本願化合物１において、Ｒ1、Ｒ3が「Ｈ」、Ｒ6、Ｒ10、Ｒ11がいずれも「Ｃ1の分岐していないアルキル」（注．メチル）、Ｒ2が「ＯＨ」、Ｒ4が「ＣＨ−Ｒ9」、Ｒ5が「Ｏ」、Ｒ7が
　
、Ｒ9が「Ｈ」、Ｚが「ＣＨ3」、ｎが「１」、ｍが「３」である場合、刊行物７に記載されている「δ−トコトリエノール」と本願化合物１とはその構造が一致する。
　また、刊行物７に記載されている「トコトリエノール」と本願化合物１とを対比すると、本願化合物１において、Ｒ1、Ｒ3が「Ｈ」、Ｒ6、Ｒ10、Ｒ11がいずれも「Ｃ1の分岐していないアルキル」（注．メチル）、Ｒ2が「ＯＨ」、Ｒ4が「ＣＨ−Ｒ9」、Ｒ5が「Ｏ」、Ｒ7が
　
、Ｒ9が「Ｈ」、Ｚが「Ｈ」、ｎが「１」、ｍが「３」である場合、刊行物７に記載されている「トコトリエノール」と本願化合物１とはその構造が一致する。
　
　(カ)刊行物９に記載された発明との対比
　刊行物９に記載されている「α−トコトリエノール」と本願化合物１とを対比すると、本願化合物１において、Ｒ1、Ｒ3、Ｒ6、Ｒ10、Ｒ11がいずれも「Ｃ1の分岐していないアルキル」（注．メチル）、Ｒ2が「ＯＨ」、Ｒ4が「ＣＨ−Ｒ9」、Ｒ5が「Ｏ」、Ｒ7が
　
、Ｒ9が「Ｈ」、Ｚが「ＣＨ3」、ｎが「１」、ｍが「３」である場合、刊行物９に記載されている「α−トコトリエノール」と本願化合物１とはその構造が一致する。
　
　(キ)刊行物１０に記載された発明との対比
　刊行物１０に記載されている「ｄ−α−トコトリエノール」と本願化合物１とを対比すると、本願化合物１において、Ｒ1、Ｒ3、Ｒ6、Ｒ10、Ｒ11がいずれも「Ｃ1の分岐していないアルキル」（注．メチル）、Ｒ2が「ＯＨ」、Ｒ4が「ＣＨ−Ｒ9」、Ｒ5が「Ｏ」、Ｒ7が
　
、Ｒ9が「Ｈ」、Ｚが「ＣＨ3」、ｎが「１」、ｍが「３」である場合、刊行物９に記載されている「ｄ−α−トコトリエノール」と本願化合物１とはその構造が一致する。
　
　したがって、本願化合物１は刊行物１、２、５、６、７、９、及び１０に記載されている。
　
　(２)本願発明４について
　(ア)刊行物１に記載された発明との対比
　刊行物１に記載されている「２，５，７，８−テトラメチル−６−ヒドロキシ−２−（４’，８’，１２’−トリメチルトリデカ−３’，７’，１１’−トリエニル）クロマン−４−オン〔４−ケト−α−トコトリエノール〕」と本願請求項４に記載された「以下の構造式に従うトコトリエノール」（以下、本願化合物４という。）とを対比すると、本願化合物４において、Ｒ1、Ｒ3がいずれも「Ｃ1の分岐していないアルキル」（注．メチル）、Ｒ2が「ＯＨ」、Ｒ4が「ＣＨ3」である場合、刊行物１に記載されている「２，５，７，８−テトラメチル−６−ヒドロキシ−２−（４’，８’，１２’−トリメチルトリデカ−３’，７’，１１’−トリエニル）クロマン−４−オン〔４−ケト−α−トコトリエノール〕」と本願化合物４とはその構造が一致する。
　したがって、本願化合物４は刊行物１に記載されている。
　
　(３)本願発明６について
　(ア)刊行物１に記載された発明との対比
　刊行物１に記載されている「２，５，７，８−テトラメチル−６−ヒドロキシ−２−（４’，８’，１２’−トリメチルトリデカ−３’，７’，１１’−トリエニル）クロマン−４−オン〔４−ケト−α−トコトリエノール〕」と本願請求項６に記載された「以下の構造式を有するトコトリエノール」（以下、本願化合物６という。）とを対比すると、本願化合物６において、Ｒ1、Ｒ3がいずれも「Ｃ1の分岐していないアルキル」（注．メチル）、Ｒ2が「ＯＨ」、Ｒ4が「ＣＨ3」である場合、刊行物１に記載されている「２，５，７，８−テトラメチル−６−ヒドロキシ−２−（４’，８’，１２’−トリメチルトリデカ−３’，７’，１１’−トリエニル）クロマン−４−オン〔４−ケト−α−トコトリエノール〕」と本願化合物６とはその構造が一致する。
　したがって、本願化合物６は刊行物１に記載されている。
　
　４．当審の判断
　上記３．で対比した内容から判断して、本願発明１は刊行物１、２、５、６、７、９、及び１０に記載された発明であり、本願発明４及び６は刊行物１に記載された発明であると認められる。
　
　５．むすび
　以上のとおりであるから、本願発明１、４及び６は、特許法第２９条第１項第３号に該当し特許を受けることができない。
　したがって、本願は、その他の請求項に係る発明について検討するまでもなく、拒絶すべきものである。
　よって、結論のとおり審決する。